【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
ＡＣ電源電力を得て、前記ＡＣ電源電力を無線周波数電力信号に変換し、前記無線周波数電力信号を照明ネットワークのラインペアに供給する無線周波数増幅器、及び
前記照明ネットワークのラインペアを第１の電力ライン通信装置に結合する基地局電力ライン通信カプラ
を含む、照明ネットワーク基地局と、
前記照明ネットワークのラインペアに沿って前記照明ネットワーク基地局から遠隔に配置される少なくとも１つの非接触照明ネットワーク部品であって、
前記照明ネットワークのラインペア上の前記無線周波数電力信号から電力を抽出するための電力カプラと、前記照明ネットワークのラインペアを、前記電力カプラとは独立に第２の電力ライン通信装置に非接触で結合するための、前記電力カプラとは別の照明ネットワーク部品電力ライン通信カプラとを含む、少なくとも１つの非接触照明ネットワーク部品カプラ
を含む、少なくとも１つの非接触照明ネットワーク部品とを、含み、
前記基地局電力ライン通信カプラ及び前記少なくとも１つの非接触照明ネットワーク部品カプラは、前記照明ネットワークのラインペアを介して前記第１の電力ライン通信装置と前記第２の電力ライン通信装置との間でネットワークデータを伝達する、
照明ネットワーク。
【請求項２】
前記少なくとも１つの非接触照明ネットワーク部品が、少なくとも第２の非接触照明ネットワーク部品を含み、前記第２の非接触照明ネットワーク部品が、前記照明ネットワークのラインペア上の前記無線周波数電力信号から電力を抽出し、前記照明ネットワークのラインペアを第３の電力ライン通信装置に結合する少なくとも第２の非接触照明ネットワーク部品カプラを含み、
前記基地局電力ライン通信カプラ及び前記第２の非接触照明ネットワーク部品カプラが、前記照明ネットワークのラインペアを介して前記第１の電力ライン通信装置と前記第３の電力ライン通信装置との間でネットワークデータを伝達する、
請求項１に記載の照明ネットワーク。
【請求項３】
前記照明ネットワーク基地局から遠隔に配置されるインピーダンス終端部を更に含み、前記照明ネットワーク基地局は前記照明ネットワークのラインペアの第１の末端部に配置され、前記インピーダンス終端部は、前記照明ネットワークのラインペアの前記第１の末端部とは反対側にある前記照明ネットワークのラインペアの第２の末端部において前記照明ネットワークのラインペアの両端部間に接続される、請求項１に記載の照明ネットワーク。
【請求項４】
前記少なくとも１つの非接触照明ネットワーク部品が前記第２の電力ライン通信装置を更に含み、前記第２の電力ライン通信装置は前記少なくとも１つの非接触照明ネットワーク部品カプラに接続され、前記照明ネットワークのラインペア上で運ばれる電力ライン通信信号により、前記照明ネットワーク基地局からの前記ネットワークデータの少なくとも一部を受信する、請求項１に記載の照明ネットワーク。
【請求項５】
前記少なくとも１つの非接触照明ネットワーク部品が、
前記少なくとも１つの非接触照明ネットワーク部品カプラに接続される前記第２の電力ライン通信装置と、
前記少なくとも１つの照明ネットワーク部品の外部にある装置に対して前記ネットワークデータの少なくとも一部を伝達するデータ入出力ポートと
を更に含む、請求項１に記載の照明ネットワーク。
【請求項６】
電力ライン通信装置と、
照明ネットワークのラインペア上で運ばれる無線周波数電力信号から電力を抽出するための電力カプラと、前記照明ネットワークのラインペアを、前記電力カプラとは独立に前記電力ライン通信装置に非接触で結合するための、前記電力カプラとは別の照明ネットワーク部品電力ライン通信カプラとを含む、少なくとも１つの非接触照明ネットワーク部品カプラと
を含み、前記電力ライン通信装置は少なくとも１つの電力ライン通信カプラに接続され、前記照明ネットワークのラインペア上で運ばれる電力ライン通信信号によってネットワークデータを伝達する、
非接触照明ネットワーク部品。
【請求項７】
少なくとも１つの発光ダイオード（ＬＥＤ）光源と、
前記無線周波数電力信号から抽出された前記電力によって給電され、前記抽出された電力を使って前記少なくとも１つのＬＥＤ光源を駆動する照明ドライバと
を更に含む、請求項６に記載の非接触照明ネットワーク部品。
【請求項８】
前記ネットワークデータが、前記少なくとも１つのＬＥＤ光源に関する少なくとも１つの動作パラメータを表す照明データを含み、前記非接触照明ネットワーク部品が、前記無線周波数電力信号から抽出された前記電力によって給電されるコントローラを更に含み、前記コントローラは前記電力ライン通信装置の出力に接続され、前記照明データに応答して前記照明ドライバの動作を制御するために前記コントローラの出力が前記照明ドライバに与えられる、請求項６に記載の非接触照明ネットワーク部品。
【請求項９】
前記無線周波数電力信号から抽出された前記電力を得て、前記非接触照明ネットワーク部品の電力出力ポートからＡＣ電力を更に出力する電力変換器を含む、請求項６に記載の非接触照明ネットワーク部品。
【請求項１０】
前記非接触照明ネットワーク部品の外部にある装置に対して前記ネットワークデータの少なくとも一部を伝達するデータ入出力ポートを更に含む、請求項６に記載の非接触照明ネットワーク部品。
【請求項１１】
運動、周辺光、煙、温度、ガス、画像、位置、及び圧力のうちの少なくとも１つを感知し、それに応答してセンサデータを生成するセンサを更に含み、前記電力ライン通信装置は前記少なくとも１つの非接触照明ネットワーク部品カプラに接続され、前記照明ネットワークのラインペア上で運ばれる電力ライン通信信号によって前記センサデータを伝達する、請求項６に記載の非接触照明ネットワーク部品。
【請求項１２】
照明ネットワークを動作させる方法であって、
照明ネットワークのラインペア上で運ばれる無線周波数電力信号から電力を抽出するための電力カプラと、前記照明ネットワークのラインペアを、前記電力カプラとは独立に電力ライン通信装置に非接触で結合するための、前記電力カプラとは別の照明ネットワーク部品の電力ライン通信カプラとを使用するステップと、
前記照明ネットワークのラインペア上で運ばれる電力ライン通信信号により、前記電力ライン通信装置と別の電力ライン通信装置との間でネットワークデータを伝達するステップと
を含む、方法。
【請求項１３】
前記電力カプラによって抽出された電力からＤＣ電圧を発生させるステップと、
前記照明ドライバに給電するために前記ＤＣ電圧を照明ドライバに与えるステップと、
前記抽出された電力を使って少なくとも１つのＬＥＤ光源を駆動するステップと
を更に含む、請求項１２に記載の方法。
【請求項１４】
前記ネットワークデータが前記少なくとも１つのＬＥＤ光源に関する少なくとも１つの動作パラメータを表す照明データを含み、前記方法が、
前記第２の電力ライン通信受信機の出力に接続されるコントローラに前記ＤＣ電圧を与えるステップと、
前記照明データに応答して前記照明ドライバの動作を制御するために前記コントローラを使用するステップと
を更に含む、請求項１３に記載の方法。
【請求項１５】
運動、周辺光、煙、温度、ガス、画像、音声、位置、及び圧力のうちの少なくとも１つを感知し、それに応答してセンサデータを生成するステップと、
前記照明ネットワークのラインペア上で運ばれる前記電力ライン通信信号によって前記センサデータを前記電力ライン通信カプラを介して伝達するステップと、
を更に含む、請求項１２に記載の方法。